(57)【要約】  本開示は、パーソナルケア装置との１又は複数の皮膚外用剤の適合レベルを示す推奨をユーザに提供するよう構成されるシステムに関する。前記システムは、１又は複数のハードウェアプロセッサであって、機械可読命令により、前記パーソナルケア装置を識別する情報を取得し、ネットワークを介して、前記パーソナルケア装置に関連する１又は複数のレビューを格納する１又は複数のデータベースにアクセスし、前記レビューは前記パーソナルケア装置及び前記１又は複数の皮膚外用剤によるユーザ経験に関する情報を含み、前記パーソナルケア装置に関連する前記レビューから、前記パーソナルケア装置との前記１又は複数の皮膚外用剤の前記適合レベルを示す情報を抽出し、前記抽出したレビューの分析に基づき、前記パーソナルケア装置との前記１又は複数の皮膚外用剤の前記適合レベルを示す１又は複数の推奨を生成する、よう構成される１又は複数のハードウェアプロセッサ、を有する。
2019504408.tif 000002
【特許請求の範囲】
【請求項１】
パーソナルケア装置との１又は複数の皮膚外用剤の適合レベルを示す推奨をユーザに提供するよう構成されるシステムであって、前記システムは、
１又は複数のハードウェアプロセッサであって、機械可読命令により、
前記パーソナルケア装置を識別する情報を取得し、
ネットワークを介して、前記パーソナルケア装置に関連する１又は複数のレビューを格納する１又は複数のデータベースにアクセスし、前記レビューは前記パーソナルケア装置及び前記１又は複数の皮膚外用剤によるユーザ経験に関する情報を含み、
前記パーソナルケア装置に関連する前記レビューから、前記パーソナルケア装置との前記１又は複数の皮膚外用剤の前記適合レベルを示す情報を抽出し、
前記抽出したレビューの分析に基づき、前記パーソナルケア装置との前記１又は複数の皮膚外用剤の前記適合レベルを示す１又は複数の推奨を生成する、
よう構成される１又は複数のハードウェアプロセッサ、を有するシステム。
【請求項２】
前記１又は複数のハードウェアプロセッサは、前記パーソナルケア装置及び／又はコンピューティング装置上での前記抽出したレビュー及び／又は前記１又は複数の推奨の表示を生じさせるよう更に構成される、請求項１に記載のシステム。
【請求項３】
前記１又は複数のハードウェアプロセッサは、特定皮膚外用剤を識別する情報を取得し、及び前記パーソナルケア装置との前記特定皮膚外用剤の前記適合レベルについての１又は複数の推奨を提供するよう更に構成される、請求項１に記載のシステム。
【請求項４】
前記１又は複数のハードウェアプロセッサは、ユーザ皮膚処置美容目標に関連する情報を取得するよう更に構成され、前記１又は複数の推奨は、前記ユーザ皮膚処置美容目標に更に基づく、請求項１に記載のシステム。
【請求項５】
前記１又は複数のハードウェアプロセッサは、前記パーソナルケア装置の使用前に使用されるとき、前記パーソナルケア装置と同時に使用されるとき、及び／又は前記パーソナルケア装置の使用後に使用されるときの、前記１又は複数の皮膚外用剤の前記適合レベルを示す推奨を生成するよう更に構成される、請求項１に記載のシステム。
【請求項６】
前記１又は複数のハードウェアプロセッサは、前記パーソナルケア装置の設定、及び／又は前記パーソナルケア装置と共に使用される付属品に基づき、前記パーソナルケア装置との前記１又は複数の皮膚外用剤の前記適合レベルを示す推奨を生成するよう更に構成される、請求項１に記載のシステム。
【請求項７】
推奨システムにより、パーソナルケア装置との１又は複数の皮膚外用剤の適合レベルを示す推奨をユーザに提供するよう方法であって、前記システムは１又は複数のハードウェアプロセッサを有し、前記方法は、
前記１又は複数のハードウェアプロセッサにより、前記パーソナルケア装置を識別する情報を取得するステップと、
前記１又は複数のハードウェアプロセッサにより、ネットワークを介して、前記パーソナルケア装置に関連する１又は複数のレビューを格納する１又は複数のデータベースにアクセスするステップであって、前記レビューは前記パーソナルケア装置及び前記１又は複数の皮膚外用剤によるユーザ経験に関する情報を含む、ステップと、
前記１又は複数のハードウェアプロセッサにより、前記パーソナルケア装置に関連する前記レビューから、前記パーソナルケア装置との前記１又は複数の皮膚外用剤の前記適合レベルを示す情報を抽出するステップと、
前記１又は複数のハードウェアプロセッサにより、前記抽出したレビューの分析に基づき、前記パーソナルケア装置との前記１又は複数の皮膚外用剤の前記適合レベルを示す１又は複数の推奨を生成するステップと、
を有する方法。
【請求項８】
前記１又は複数のハードウェアプロセッサにより、前記パーソナルケア装置及び／又はコンピューティング装置上での前記抽出したレビュー及び／又は前記１又は複数の推奨の表示を生じさせるステップ、を更に有する請求項７に記載の方法。
【請求項９】
前記１又は複数のハードウェアプロセッサにより、特定皮膚外用剤を識別する情報を取得し、及び前記パーソナルケア装置との前記特定皮膚外用剤の前記適合レベルについての１又は複数の推奨を提供するステップ、を更に有する請求項７に記載の方法。
【請求項１０】
前記１又は複数のハードウェアプロセッサにより、ユーザ皮膚処置美容目標に関連する情報を取得するステップであって、前記１又は複数の推奨は、前記ユーザ皮膚処置美容目標に更に基づく、ステップ、を更に有する請求項７に記載の方法。
【請求項１１】
前記パーソナルケア装置との前記１又は複数の皮膚外用剤の前記適合レベルを示す前記１又は複数の推奨を生成するステップは、前記パーソナルケア装置の使用前に使用されるとき、前記パーソナルケア装置と同時に使用されるとき、及び／又は前記パーソナルケア装置の使用後に使用されるときの、前記１又は複数の皮膚外用剤の前記適合レベルを示す推奨を含む、請求項７に記載の方法。
【請求項１２】
前記パーソナルケア装置との前記１又は複数の皮膚外用剤の前記適合レベルを示す推奨を生成するステップは、前記パーソナルケア装置の設定、及び／又は前記パーソナルケア装置と共に使用される付属品に基づく、請求項７に記載の方法。
【請求項１３】
パーソナルケア装置との１又は複数の皮膚外用剤の適合レベルを示す推奨をユーザに提供するよう構成されるシステムであって、前記システムは、
前記パーソナルケア装置を識別する情報を取得する手段と、
ネットワークを介して、前記パーソナルケア装置に関連する１又は複数のレビューを格納する１又は複数のデータベースにアクセスする手段であって、前記レビューは前記パーソナルケア装置及び前記１又は複数の皮膚外用剤によるユーザ経験に関する情報を含む、手段と、
前記パーソナルケア装置に関連する前記レビューから、前記パーソナルケア装置との前記１又は複数の皮膚外用剤の前記適合レベルを示す情報を抽出する手段と、
前記抽出したレビューの分析に基づき、前記パーソナルケア装置との前記１又は複数の皮膚外用剤の前記適合レベルを示す１又は複数の推奨を生成する手段と、
を有するシステム。
【請求項１４】
前記パーソナルケア装置及び／又はコンピューティング装置上での前記抽出したレビュー及び／又は前記１又は複数の推奨の表示を生じさせる手段、を更に有する請求項１３に記載のシステム。
【請求項１５】
特定皮膚外用剤を識別する情報を取得し、及び前記パーソナルケア装置との前記特定皮膚外用剤の前記適合レベルについての１又は複数の推奨を提供する手段、を更に有する請求項１３に記載のシステム。
【請求項１６】
ユーザ皮膚処置美容目標に関連する情報を取得する手段であって、前記１又は複数の推奨は、前記ユーザ皮膚処置美容目標に更に基づく、手段、を更に有する請求項１３に記載のシステム。
【請求項１７】
前記パーソナルケア装置との前記１又は複数の皮膚外用剤の前記適合レベルを示す前記１又は複数の推奨を生成する前記手段は、前記パーソナルケア装置の使用前に使用されるとき、前記パーソナルケア装置と同時に使用されるとき、及び／又は前記パーソナルケア装置の使用後に使用されるときの、前記１又は複数の皮膚外用剤の前記適合レベルを示す推奨を生成するよう更に構成される、請求項１３に記載のシステム。
【請求項１８】
前記パーソナルケア装置との前記１又は複数の皮膚外用剤の前記適合レベルを示す前記１又は複数の推奨を生成する前記手段は、前記パーソナルケア装置の設定、及び／又は前記パーソナルケア装置と共に使用される付属品に基づき、前記１又は複数の皮膚外用剤の前記適合レベルを示す推奨を生成するよう更に構成される、請求項１３に記載のシステム。
【発明の詳細な説明】
【技術分野】
【０００１】
本開示は、パーソナルケア装置との１又は複数の皮膚外用剤の適合レベルを示す推奨をユーザに提供するよう構成されるシステム及び方法に関する。
【背景技術】
【０００２】
パーソナルケア装置及び皮膚外用剤は知られている。パーソナルケア装置のユーザは、現在は、彼らの日常のスキンケアの一部として、彼らの装置と組み合わせて、広範なブランドから市販の皮膚外用剤を使用する。例えば、皮膚外用剤は、装置と共に使用され（例えば、髭剃り装置と一緒に使用される髭剃りクリーム）又は装置後の処置として適用されることがある。予期しない望ましくない皮膚反応が、このような装置の使用中又は使用後の幾つかの皮膚外用剤の適用後に生じ得る。このような反応は、赤み、紅斑、浮腫、痒みの感覚、火照る感覚、又はアレルギー及び鋭敏化さえも含み得る。例えば、幾つかの場合には、反応は、美容装置の角質除去効果により増幅される場合があり、それにより、このような処置により皮膚バリアが一時的に破壊され又は除去されてしまう。
【発明の概要】
【０００３】
したがって、本開示の１又は複数の態様は、パーソナルケア装置との１又は複数の皮膚外用剤の適合レベルを示す推奨をユーザに提供するよう構成されるシステムに関する。前記システムは、１又は複数のハードウェアプロセッサであって、機械可読命令により、前記パーソナルケア装置を識別する情報を取得し、ネットワークを介して、前記パーソナルケア装置に関連する１又は複数のレビューを格納する１又は複数のデータベースにアクセスし、前記レビューは前記パーソナルケア装置及び前記１又は複数の皮膚外用剤によるユーザ経験に関する情報を含み、前記パーソナルケア装置に関連する前記レビューから、前記パーソナルケア装置との前記１又は複数の皮膚外用剤の前記適合レベルを示す情報を抽出し、前記抽出したレビューの分析に基づき、前記パーソナルケア装置との前記１又は複数の皮膚外用剤の前記適合レベルを示す１又は複数の推奨を生成する、よう構成される１又は複数のハードウェアプロセッサ、を有する。
【０００４】
本開示の別の態様は、推奨システムにより、パーソナルケア装置との１又は複数の皮膚外用剤の適合レベルを示す推奨をユーザに提供する方法に関する。システムは、１又は複数のハードウェアプロセッサ及び／又は他のコンポーネントを有する。前記方法は、前記１又は複数のプロセッサにより、前記パーソナルケア装置を識別する情報を取得するステップと、前記１又は複数のプロセッサにより、ネットワークを介して、前記パーソナルケア装置に関連付けられた１又は複数のレビューを格納する１又は複数のデータベースにアクセスするステップであって、前記レビューは、前記パーソナルケア装置及び前記１又は複数の皮膚外用剤によるユーザ経験に関する情報を含む、ステップと、前記１又は複数のプロセッサにより、前記パーソナルケア装置に関連付けられた前記レビューから、前記パーソナルケア装置との前記１又は複数の皮膚外用剤の前記適合レベルを示す情報を抽出するステップと、前記１又は複数のプロセッサにより、前記抽出した情報の分析に基づき、記パーソナルケア装置との前記１又は複数の皮膚外用剤の前記適合レベルを示す１又は複数の推奨を生成するステップと、を含む。
【０００５】
本開示の更に別の態様は、パーソナルケア装置との１又は複数の皮膚外用剤の適合レベルを示す推奨をユーザに提供するよう構成されるシステムに関する。前記システムは、前記パーソナルケア装置を識別する情報を取得する手段と、ネットワークを介して、前記パーソナルケア装置に関連する１又は複数のレビューを格納する１又は複数のデータベースにアクセスする手段であって、前記レビューは前記パーソナルケア装置及び前記１又は複数の皮膚外用剤によるユーザ経験に関する情報を含む、手段と、前記パーソナルケア装置に関連する前記レビューから、前記パーソナルケア装置との前記１又は複数の皮膚外用剤の前記適合レベルを示す情報を抽出する手段と、前記抽出したレビューの分析に基づき、前記パーソナルケア装置との前記１又は複数の皮膚外用剤の前記適合レベルを示す１又は複数の推奨を生成する手段と、を有する。
【０００６】
本開示の上述の及び他の目的、特性及び特徴は、動作方法、構造の関連要素及び部品の組合せの機能、製造の簡潔さと共に、本願明細書の一部を形成する添付の図面を参照して以下の説明及び請求の範囲を考慮することにより一層明らかになるだろう。図中の同様の参照符号は種々の図の対応する部分を示す。しかしながら、図面は、説明及び解説のみを目的としており、本開示の定義として見なされないことが明確に理解されるべきである。
【図面の簡単な説明】
【０００７】
【図１】１又は複数の実装による、パーソナルケア装置との１又は複数の皮膚外用剤の適合レベルを示す推奨をユーザに提供するシステムの概略図である。
【図２】１又は複数の実装によるシステム１０の例示的動作図を示す。
【図３】１又は複数の実装によるシステム１０の例示的動作図を示す。
【図４】１又は複数の実装による、パーソナルケア装置との１又は複数の皮膚外用剤の適合レベルを示す推奨をユーザに提供する方法を示す。
【発明を実施するための形態】
【０００８】
本願明細書で用いられるように、単数を表す語（「a」、「an」及び「the」）は、特に文脈上明示されない限り、複数への参照も含む。本願明細書で用いられるように、２以上の部分又は構成要素が共に「結合される」という記載は、直接的に又はリンクが生じている限り間接的に、つまり１若しくは複数の中間部分若しくは構成要素を通じて該部分が接合される又は一緒に動作することを意味する。本願明細書で用いられるように、「直接結合される」は、２つの要素が互いに直接接触していることを意味する。本願明細書で用いられるように、「固定して結合される」は、２つの要素が互いに対して一定の方向を維持しながら動くよう結合されることを意味する。
【０００９】
本願明細書で用いられるように、用語「単位（unitary）」は、構成要素が単一の一部又はユニットとして作成されることを意味する。つまり、別個に作成されて次にユニットとして互いに結合された一部を含む構成要素は、「単位」構成要素又は本体ではない。本願明細書で用いられるように、２以上の部分又は構成要素が互いに「係合する」という記載は、直接に又は１若しくは複数の中間部分若しくは構成要素を通じて該部分が他方に対して力を及ぼすことを意味する。本願明細書で用いられるように、用語「数」は、１又は１より大きい整数（つまり、複数）を意味する。
【００１０】
取り扱い説明に沿って、パーソナルケア装置は、予期しない皮膚反応が生じた場合に装置、皮膚外用剤、又は両者の使用を中断するよう、一般的な書面による警告をユーザに提供する。ユーザは、通常、装置と外用剤との組み合わせを彼ら自身の経験に任され、ユーザコミュニティから助言を探す。美容／化粧品店の美容専門家は、何からの装置をユーザに提供し得る。しかし、助言は偏っている（専門家は彼ら自身のブランド又は売上げ目標を押しつける）又は彼らの個人経験若しくはその店の顧客の経験に限られている場合が多い。このような開かれたシステムにおいて数百万もの装置−製剤の組み合わせが可能なので、市場で入手可能な美容製品の提供の大きさを前提として特定の製品−装置の適合性の助言を提供することは、美容専門家により実現可能ではない。例えば、特定の有効成分を含む製剤を使用することだけを顧客に助言することは、有効成分の濃度が所望の効果のために十分であること、その製剤が皮膚への有効成分の十分な浸透を可能にすること、又は望ましい推奨される有効成分の含有にも拘わらず、その製剤の中の他の成分が望ましくない効果を生じ得ること、を保証しない。
【００１１】
この問題を克服するために、幾つかの製造者は、所謂「バイパック」キットを提供する。ここで、美容装置は、そのような装置と共に使用されることを特別に意図される外用剤を含むキットの部分として販売される。しかし、このようなキットの提供は、パーソナルケア装置が美容製品と共に市場に出され流通することを要求し、及び／又はブランド若しくは供給者と組み合わされることを要求する。これは、製造者が要求対応及び安全のために製剤及び装置の適合性について試験することも要求する。これは、消費者が彼／彼女自身の好きなブランド又は製品を選択する選択肢を制限することもある。
【００１２】
本発明のシステムは、皮膚外用剤及びパーソナルケア装置の組み合わせの適合性に関する有意義な情報を提供するよう構成される。本発明のシステムは、オンラインのユーザレビューコミュニティから入手可能な知識にアクセスし、便利なことに、特に彼らの皮膚の要求及び状態のために、皮膚外用製剤と装置との組み合わせの適合性についての入力を探している消費者に該知識を提供するよう構成される。
【００１３】
図１は、パーソナルケア装置１６との１又は複数の皮膚外用剤１５の適合レベルを示す推奨をユーザに提供するよう構成されるシステム１０の概略図である。パーソナルケア装置のユーザは、通常、安全に関する何らかの一般的助言により、彼らの望む何らかの追加皮膚外用剤又は製剤を自由に使用する。美容専門家は、彼ら自身の知識、経験に基づき助言を提供する場合があり、及び時には彼らの提示するブランドから製品を提供するだけである。ユーザは、相談のために個人的に専門家と会う必要がある場合がある。ここで、ユーザは、例えば彼の目標、彼の肌タイプ、及び／又は彼の衛生習慣に関する質問に答える。このような相談は、パーソナルケア装置に取り組むために皮膚外用剤を推奨する前に、専門家又は装置による皮膚測定又は客観的評価を含む。何百万もの可能な組み合わせを前提として、美容専門家が複数の要因（例えば、パーソナルケア装置及び市場で入手可能な皮膚外用剤の他のユーザからのフィードバック）を考慮に入れた推奨を与えることは、事実上不可能である。本発明のシステムは、複数の要因を考慮に入れ、ユーザに彼／彼女のパーソナルケア装置のための皮膚外用剤を選択するとき彼／彼女の選択肢のより良い理解を提供する可能性のある、ユーザのために電子的に推奨を生成するシステムを提供することにより、上述の短所を解決する。例えば、皮膚外用剤と装置との組み合わせによる幾つかの望ましい及び／又は可能性のある相乗効果が可能である。例えば、皮膚表皮の再生を刺激する装置は、所望の皮膚美白向上効果のために、表皮の全体の色素量が減少するように、皮膚色素生成の減少を刺激する有効成分を含む皮膚外用剤を賞賛することがある。別の例は、皮膚刺激の少ない全体的効果のために、製剤の潤滑効果によりシェービングヘッドの皮膚との摩擦を低減する、髭剃り過程中の皮膚外用剤の使用である。皮膚バリアの減少は、有効成分の経皮浸透の向上をもたらすことがある。これは、美容製剤の効き目の増強の望ましい効果、又は皮膚外用剤の低減された適用要件ももたらすことができる。
【００１４】
幾つかの実施形態では、システム１０は、パーソナルケア装置１６、１又は複数の皮膚外用剤１５、ハードウェアプロセッサ１８、レビューデータベース３０、電子記憶装置４０、ユーザインタフェース４２、外部リソース４４、及び／又は他のコンポーネントを有する。システム１０の１又は複数のコンポーネントは、ネットワーク５０を介して通信可能に結合されて良い。
【００１５】
パーソナルケア装置１６は、パーソナルケアのための皮膚処置装置である。パーソナルケア装置１６は、洗浄、マッサージ、剥離、加熱又は冷却、皮膚状態（例えば、にきび、しみ、黒点、皺、など）の処置、毛の除去、皮膚の表面を直す、及び／又は１又は複数の皮膚剤の適用のために使用されて良い。パーソナルケア装置は、皮膚への機械的及びエネルギ供給に基づく皮膚処置装置を含む。パーソナルケア装置１６は、美容店、薬局、デパート、オンラインストア、及び／又は特別店において入手できる。幾つかの実施形態では、パーソナルケア装置は、皮膚科医院で入手できる。通常、ユーザは、専門的支援の必要なしに容易にパーソナルケア装置１６を使用し／作動できる。例えば、パーソナルケア装置１６は、髭剃り装置、歯ブラシ、舌クリーナ、マイクロ皮膚剥離装置、皮膚洗浄装置、剥離装置、皮膚安定化装置、皮膚再生装置、皮膚マッサージ装置、皮膚蒸し加熱装置、皮膚冷却装置、及び／又は他の装置であり及び／又はそれらを含んで良い。
【００１６】
皮膚外用剤１５は、ここで使用されるとき、個人健康及び／又は美化のために体に又はその内部の特定の場所に適用される局部剤を表す。皮膚外用剤（１５）は、皮膚又は粘膜のような体表面に適用される局部剤を含む。幾つかの実施形態では、皮膚外用剤（１５）は、皮膚状態又は健康状態を処置するための医薬製剤を含んで良い。
【００１７】
皮膚外用剤の例は、クリーム、フォーム、ゲル、ローション、セラム、トニック、ペースト、軟膏、クレンジングパッド、歯磨き粉、剥離製剤、マスク、及び／又は他の局部剤を含む。幾つかの実施形態では、皮膚外用剤は、歯の表面に適用される局部剤、及び／又はガムを含む。皮膚外用剤１５は、パーソナルケア装置１６と同時に、又はパーソナルケア装置１６を伴わず、使用されて良い。幾つかの実施形態では、皮膚外用剤１５は、異なる製剤及び異なる機能を有して良い。例えば、皮膚外用剤１５は、洗浄、保湿、太陽ＵＶ照射からの保護、アンチエイジング、冷却、鎮静、皮膚バリアの修復、色素形成の調節、若返り、色素沈着の低減、剥離、安定化、及び又は他の機能のために使用されて良い。
【００１８】
幾つかの実施形態では、システム１０は、ユーザの皮膚特徴に関連する情報を伝達する出力信号を生成するよう構成される１又は複数のセンサ１４を有して良い。ユーザの皮膚特徴に関連する情報は、皮膚タイプ、皮膚状態、皮膚水分レベル、皮膚の色、弾力性、表皮の厚さ、真皮の厚さ、表面皮脂含有量、毛穴密度及び／又は寸法、毛密度、かん流、及び／又はユーザの皮膚に関連する他の情報を含む。幾つかの実施形態では、センサ１４は、カメラ、コルネオメトリ（corneometry）センサ（表皮の外層の水分の測定）、光センサ、色センサ、ダーモスコピカメラ、マイクロスコープ、光コヒーレンストモグラフィシステム、血圧モニタ、体重計、及び／又は他のセンサのうちの１又は複数であり及び／又はそれを含んで良い。幾つかの実施形態では、センサ１４は、システム１０の内部又は外部の複数の位置に配置されて良い。例えば、センサ１４は、パーソナルケア装置１６の内部に配置され、ユーザインタフェースに結合され、及び／又はシステム１０の内部若しくは外部の他の位置に配置されて良い。幾つかの実施形態では、センサ１４は、パーソナルケア装置及び／又はプロセッサ１８と有線及び／又は無線通信するよう構成される、ユーザの皮膚状態に関連する他の皮膚測定装置（例えば、外部リソース４４）の部分であって良い。このような装置は、装置使用法より低い周波数で小売設定で又は専門的に使用されて良い。
【００１９】
幾つかの実施形態では、センサ１４は、プロセッサ１８へ情報を（例えば、有線又は無線で）直接送信するよう構成されて良い。幾つかの実施形態では、情報は、例えば外部リソース４４の部分であるリモートに置かれたデータベースからプロセッサ１８へ送信されて良い。幾つかの実施形態では、プロセッサ１８は、データベース、センサ１４、及び／又は他のリソースから、このような装置から情報を電子的にクエリし及び／又は要求し並びに応答として情報を受信することにより、情報を取得して良い。これらの例は限定を意図しないことに留意すべきである。プロセッサ１８は、システム１０が本願明細書に記載のように機能できるようにするいかなる方法で、パーソナルケア装置を識別する情報、センサからの情報、及び／又はいかなる他の情報を受信し及び／又は取得するよう構成されて良い。
【００２０】
プロセッサ１８は、システム１０内で情報処理能力を提供するよう構成される。したがって、プロセッサ１８は、１又は複数のデジタルプロセッサ、アナログプロセッサ、情報を処理するよう設計されるデジタル回路、情報を処理するよう設計されるアナログ回路、状態機械、及び／又は電子的に情報を処理する他のメカニズムのうちの１又は複数を有しても良い。幾つかの実装では、プロセッサ１８は、複数の処理ユニットを有して良い。これらの処理ユニットは、同じ装置（例えばサーバ）内に物理的に配置されて良い。又は、プロセッサ１８は、協働して動作する複数の装置（例えば、サーバ、ユーザに関連するコンピューティング装置、ユーザインタフェース４２、パーソナルケア装置１６、外部リソース４４の部分である装置、及び／又は他の装置）の処理機能を表して良い。
【００２１】
図１に示すように、プロセッサ１８は、機械可読命令により、１又は複数のコンピュータプログラムコンポーネントを実行するよう構成される。１又は複数のコンピュータプログラムコンポーネントは、パーソナルケア装置コンポーネント２０、アクセスコンポーネント２２、抽出コンポーネント２４、推奨コンポーネント２６、通信コンポーネント２８、及び／又は他のコンポーネントのうちの１又は複数を有して良い。プロセッサ１８は、ソフトウェア；ハードウェア；ファームウェア；ソフトウェア、ハードウェア及び／又はファームウェアの何らかの組合せ；及び／又はプロセッサ１８に処理能力を構成する他のメカニズムにより、コンポーネント２０、２２、２４、２６、及び／又は２８を実行するよう構成されて良い。
【００２２】
理解されるべきことに、コンポーネント２０、２２、２４、２６、及び２８は、単一処理ユニット内の同一場所に配置されるとして図１に示されるが、プロセッサ１８が複数の処理ユニットを有する実施形態では、１又は複数のコンポーネント２０、２２、２４、２６、及び／又は２８は、他のコンポーネントから離れた場所に配置されて良い。以下に記載する異なるコンポーネント２０、２２、２４、２６、及び／又は２８により提供される機能の説明は、説明を目的としており、いかなるコンポーネント２０、２２、２４、２６、及び／又は２８も記載するよりも多くの又は少ない機能を提供して良いので、限定を意図しない。例えば、コンポーネント２０、２２、２４、２６、及び／又は２８のうちの１又は複数は、除去されて良く、その機能の一部又は全部は他のコンポーネント２０、２２、２４、２６、及び／又は２８により提供されて良い。別の例として、プロセッサ１８は、以下のコンポーネント２０、２２、２４、２６、及び／又は２８のうちの１つに属する機能の一部又は全部を実行し得る１又は複数の追加コンポーネントを実行するよう構成されて良い。
【００２３】
パーソナルケア装置コンポーネント２０は、パーソナルケア装置１６を識別する情報を取得するよう構成される。幾つかの実施形態では、パーソナルケア装置コンポーネント２０は、ユーザからの入力、及び／又はシステム１０の内部若しくは外部にある他のコンポーネントからの入力により、パーソナルケア装置を識別する情報を受信するよう構成される。例えば、ユーザは、ユーザインタフェース４２を介して、名称、型、シリアル番号、パーソナルケア装置の写真、バーコード、及び／又はパーソナルケア装置の他の識別情報を提供して良い。幾つかの実施形態では、ユーザインタフェース４２は、パーソナルケア装置をスキャンするよう構成されるスキャナを有して良く、コンポーネント２０がスキャン（例えば、パーソナルケア装置の写真、バーコード、名称、型、等）から抽出された情報からパーソナルケア装置を識別できるようにする。幾つかの実施形態では、ユーザインタフェース４２は、ユーザが彼／彼女の望むパーソナルケア装置を入力し及び／又は選択できるように、異なるパーソナルケア装置をユーザに提示するよう構成される。幾つかの実施形態では、パーソナルケア装置を識別する情報は、ユーザ入力、ユーザ選択、スキャン、及び／又はパーソナルケア装置の識別情報を取得するための他の方法の組み合わせを通じて取得されて良い。幾つかの実施形態では、ユーザは他の情報を提供して良い。例えば、ユーザは、皮膚タイプ（例えば、あぶら性、乾燥、等）に関連する入力及び／又は他の情報を提供して良い。
【００２４】
幾つかの実施形態では、入力は、パーソナルケア装置１６の識別情報以外の情報を含んで良い。例えば、このような情報は、パーソナルケア装置１６の付属品、装置の添付品に関する情報（ブラシヘッドの種類、剥離ヘッドの種類、シェービングヘッドの種類、等）、装置の設定（例えば、装置の回転速度、処置の長さ、エネルギレベル）、及び／又は他の情報を含む。幾つかの実施形態では、パーソナルケア装置コンポーネント２０は、ユーザ入力からパーソナルケア装置を識別する情報を受信し、システム１０の内部又は外部にある他のコンポーネント（例えば、記憶装置４０、データベース３０、外部リソース４４、等）からパーソナルケア装置に関する追加情報（例えば、付属品、装置の添付品、装置の設定、等）を取得するよう構成されて良い。
【００２５】
アクセスコンポーネント２２は、パーソナルケア装置に関連する１又は複数のレビューを格納する１又は複数のデータベース（例えば、レビューデータベース３０）にアクセスするよう構成される。幾つかの実施形態では、アクセスコンポーネント２２は、ネットワーク５０（以下に記載される）及び／又は他の方法により、１又は複数のデータベースにアクセスして良い。アクセスコンポーネント２２は、情報及び／又はデータについての要求を受信し、要求された情報及び／又はデータを提供し、要求された情報及び／又はデータにアクセスできる場所を提供し、及び／又はパーソナルケア装置、ユーザ及び／又は他の方法で皮膚外用剤に関する情報へのアクセスを助ける。アクセスコンポーネント２２は、ユーザからの、システム１０の内部又は外部にあるコンポーネントからの要求／クエリ、及び／又はアクセスの他の要求に応答して、１又は複数のデータベースにアクセスするよう構成されて良い。
【００２６】
パーソナルケア装置に関連付けられたレビューは、パーソナルケア装置のユーザ及び／又は消費者により提供される、パーソナルケア装置のユーザとしての彼女の経験、及び／又はパーソナルケア装置１６に関連する他の情報を記述するレビューを表す。パーソナルケア装置のレビューは、パーソナルケア装置及び／又は皮膚外用剤の見込み購入者の購入の決定を助ける場合がある。レビューは、パーソナルケア装置の別のユーザにパーソナルケア装置のより良い使用に関する情報を提供して良い。幾つかの実施形態では、パーソナルケア装置のレビューは、性能、信頼性、品質、価格、競合製品との比較に関するコメント、及び／又は他の情報を含んで良い。幾つかの実施形態では、パーソナルケア装置に関連付けられたレビューは、異なる製品と共に、異なる設定で、異なる付属品と共に、及び／又は異なる皮膚タイプで使用されたときのパーソナルケア装置の性能に関するコメントを含む。
【００２７】
ユーザレビューの情報源（レビューデータベース３０）は、電子商取引サイト（例えば、Ａｍａｚｏｎ、Ｚａｐｐｏｓ、等）、ソーシャルメディアサイト（例えば、Ｆａｃｅｂｏｏｋ、Ｉｎｓｔａｇｒａｍ、Ｔｗｉｔｔｅｒ、等）、ブログ、オンラインレビュー・ウェブサイト、ウェブページ、電子メール、文書、ＰＤＦ、スキャンされた文字、及び／又はパーソナルケア装置に関連するレビューを含む他の情報源を含み得る。幾つかの実施形態では、パーソナルケア装置に関連付けられたレビューは、パーソナルケア装置の格付け（例えば、星評価、肯定又は反対、等）を含んで良い。幾つかの実施形態では、レビューはテキスト、音声、及び／又はビデオの形式である。幾つかの実施形態では、パーソナルケア装置に関連付けられたレビューは、パーソナルケア装置の専門家、調査員、熟達者、及び／又は他のユーザによるレビューを含む。幾つかの実施形態では、アクセスコンポーネント２２は、１又は複数の皮膚外用剤１５に関連する１又は複数のレビューを格納する１又は複数のデータベース（例えば、レビューデータベース３０）にアクセスするよう構成される。幾つかの実施形態では、レビューは、皮膚外用剤についてであり、パーソナルケア装置１６と共に使用されたときの皮膚外用剤に関するコメント及び／又は情報も含んで良い。
【００２８】
抽出コンポーネント２４は、パーソナルケア装置及び／又は皮膚外用剤に関連付けられたレビューから、パーソナルケア装置１６との１又は複数の皮膚外用剤１５の適合レベルを示す情報を抽出するよう構成される。適合レベルは、所与の皮膚外用剤がパーソナルケア装置１６に適合する及び／又は適合性のあるレベルを表す。例えば、高い適合レベルを有する皮膚外用剤は、パーソナルケア装置と共に使用されたとき最高の結果を生じる製品である。低い適合レベルを有する皮膚外用剤は、パーソナルケア装置と共に使用され得る製品であるが、結果は、高いレベルの適合を有する皮膚外用剤についての皮膚処置結果と比べてあまり望ましいものではない。幾つかの実施形態では、皮膚外用剤１５は、レビューに基づき格付けされて良い。例えば、（パーソナルケア装置と共に使用することについて）最高数の肯定的レビューを有する製品は、パーソナルケア装置との高い適合レベルを有して良い。（パーソナルケア装置と共に使用することについて）最低数の肯定的レビューを有する製品は、パーソナルケア装置との低い適合レベルを有して良い。
【００２９】
パーソナルケア装置１６との１又は複数の皮膚外用剤１５の適合レベルを示す情報の自動抽出は、ＨＴＴＰプログラミング、ＨＴＭＬパージング、ＤＯＭ（文書オブジェクトモデル、document  object  model）パージング、機械学習技術、テキストパターン照合、テキスト分析、及び／又は他の技術を用いて行われて良い。
【００３０】
推奨コンポーネント２６は、抽出された情報、センサ１４からの情報、ユーザに関する情報、及び／又は他の情報を分析し、レビューから抽出した情報、センサ情報、ユーザに関する情報、及び／又は他の情報の分析に基づき、パーソナルケア装置との１又は複数の皮膚外用剤の適合レベルを示す１又は複数の推奨を生成するよう構成される。幾つかの実施形態では、推奨コンポーネント２６は、推奨される皮膚外用剤のパーソナルケア装置との適合レベルに基づき、推奨される皮膚外用剤の相対格付けを生成して良い。抽出された情報の分析は、ユーザの情報、及び／又はセンサ情報とのレビュー内容の比較を含んで良い。幾つかの実施形態では、推奨コンポーネント２６は、異なる要因を満たす１又は複数の皮膚外用剤を推奨して良い。例えば、同じ皮膚タイプのユーザからの格付けが星４つより高い皮膚製剤のみを推奨する。図２は、パーソナルケア装置入力２１０、及び皮膚外用剤及びパーソナルケア装置に関するオンラインレビューデータ２２０に基づき、皮膚外用剤とパーソナルケア装置の適合レベルを示すユーザインタフェース２３０を図示する例示的な図２００である。図２に示すように、パーソナルケア装置を識別する情報が受信される。上述のように、この情報は、例えばユーザ入力から又はセンサの読み取り値から取得されて良い。
【００３１】
抽出コンポーネント２４（上述した）は、パーソナルケア装置及び異なる皮膚外用剤に関するオンラインユーザレビューデータ２２０を抽出するよう構成される。推奨コンポーネント２６（上述した）は、皮膚外用剤及びパーソナルケア装置の適合レベルを示す推奨を生成するよう構成される２３０。
【００３２】
幾つかの実施形態では、抽出コンポーネント２４は、ユーザに関する情報（例えば、習慣、活動、好み、場所、センサ１４出力、等）を収集するよう構成されて良い。推奨コンポーネント２６は、ユーザに関する収集した情報と一緒に、レビューから抽出した情報を分析して、彼／彼女の他のユーザとの類似性に基づきユーザの好みを予測し、予測したユーザ好みに基づき、パーソナルケア装置との１又は複数の皮膚外用剤の適合レベルを示す１又は複数の推奨を生成するよう構成されて良い。例えば、ユーザが洗浄装置を購入しようとしており、該洗浄装置と共に使用するのに最適な洗剤を知りたいと望む場合、ユーザは、ユーザインタフェース（例えば、ユーザの携帯電話のアプリ）により洗浄装置を識別する情報を提供して良い。ユーザは、追加情報（例えば、皮膚の種類、香りの好み、衛生習慣、洗浄装置の使用の目的、好みのブランド又は製造者、等）を入力するよう依頼されて良い。ユーザは、製品又は製品セットを評価し、又は格付けするよう依頼されて良い。ユーザは、彼の皮膚の写真を撮るよう依頼されて良い。ユーザは、異なるソーシャルメディアサイト上のユーザプロファイルへのアクセスを許可するよう依頼されて良い（ユーザに質問する代わりに、抽出コンポーネントはユーザの習慣、過去の購入、活動、好み、他の製品のユーザの評価、好き嫌い、等に関する情報を抽出可能である）。この動作は、パーソナルケア装置コンポーネント２０及び／又はシステム１０の内部若しくは外部にある他のコンポーネントにより実行されて良い。抽出コンポーネント２４は、例えばユーザにより提供された情報から抽出された又はソーシャルメディアサイト若しくはオンラインストア上のユーザのプロファイルから抽出されたユーザに関するデータ（例えば、レビューされた及び／又はオンラインで購入された製品、閲覧時間、格付け、習慣、等）を収集し格納するよう構成されて良い。本例では、推奨コンポーネント２６は、ユーザと同様のプロファイルを有するユーザ（例えば、ユーザと同様の評価履歴を有するユーザ、ユーザと同じ人口統計学的プロファイル、同じスキンブランドの好み、皮膚タイプ、のユーザ、等）からのレビューの中の情報と比較し、及び同じ人口統計学的プロファイルを有するユーザにより好まれるものと同様の皮膚外用剤推奨を作成することにより、ユーザの情報に基づき推奨を生成する。
【００３３】
幾つかの実施形態では、推奨コンポーネント２６は、１又は複数の皮膚外用剤を推奨するために、ユーザの過去の購入に関する情報を使用して良い。この情報は、例えばユーザ入力から及び／又はソーシャルメディアサイト若しくはオンラインストア上のユーザのプロファイルから抽出されて良い。例えば、推奨コンポーネント２６は、ユーザが過去に好んだ又は購入したものと同様の皮膚外用剤を推奨するよう構成されて良い。幾つかの例では、推奨コンポーネント２６は、可能な皮膚外用剤を前にユーザにより評価された又は購入された製品と比較することにより、それらの可能な皮膚外用剤を格付けし又はスコアを割り当てて良い。ベイジアン分類器（Bayesian  Classifier）、ｋＮＮ分類器、クラスタ分析、決定木、及び人工ニューラルネットワークのような機械学習技術は、ユーザが推奨を好む確率を推定するために使用されて良い。
【００３４】
幾つかの実施形態では、推奨コンポーネント２６は、ユーザの場所に基づき推奨を生成するよう構成されて良い。推奨コンポーネント２６は、ユーザの所与の範囲内にある皮膚外用剤を推奨するために、位置特定器（例えば、ＧＰＳ）からの位置情報を使用して良い。幾つかの実施形態では、位置特定器は、センサ１４、パーソナルケア装置１６、及び／又はシステム１０の内部若しくは外部にある他のコンポーネントに含まれて良い。例えば、ユーザが目標店舗内にいる場合、推奨コンポーネントは、ユーザのレビュー、ユーザ情報目標店舗で販売中の皮膚外用剤、及び／又は他の情報に基づき、皮膚外用剤を推奨して良い。
【００３５】
幾つかの実施形態では、推奨コンポーネント２６は、パーソナルケア装置の使用前に使用されるとき、パーソナルケア装置と同時に使用されるとき、及び／又はパーソナルケア装置の使用後に使用されるときの、１又は複数の皮膚外用剤の適合レベルを示す推奨を生成するよう構成されて良い。例えば、推奨コンポーネント２６は、ユーザのレビュー、ユーザ及び／又は他の抽出された情報に基づき、パーソナルケア装置と共に使用されるべき皮膚外用剤セットの推奨を生成して良い。皮膚外用剤セットは、（例えば皮膚の準備を整えるために）パーソナルケア装置の使用前に使用されるべき皮膚外用剤、パーソナルケア装置と同時に使用されるべき皮膚外用剤、及びパーソナルケア装置の使用後に使用されるべき皮膚外用剤（例えば、ローション）を含んで良い。推奨の中の皮膚外用剤は、同じブランドから又は異なるブランドからであって良い。
【００３６】
幾つかの実施形態では、推奨コンポーネント２６は、パーソナルケア装置のレビュー、皮膚外用剤のレビューに基づき、ユーザに関連する情報（例えば、皮膚タイプ、色、テクスチャ、等）、及び／又は他の要因に基づき、ユーザに養生法を推奨して良い。例えば、推奨は、所与の時間期間の間、特定の皮膚外用剤を、その後に異なる皮膚外用剤に切り換えるよう、ユーザに指示して良い。幾つかの実施形態では、推奨コンポーネント２６がパーソナルケア装置の中に配置される場合、推奨コンポーネント２６は、ユーザの皮膚の変化を検出し、皮膚の変化に基づき推奨を更新するよう構成されて良い。例えば、推奨は、皮膚外用剤の使用の停止、皮膚外用剤の変更、使用周波数、別の皮膚外用剤の追加、パーソナルケア装置の更新、異なる設定又は添付品の使用、等を含んで良い。例えば、ユーザは、第１歯磨き粉と共に電動歯ブラシを使用していて良い（例えば、ユーザは、彼が歯ブラシを購入したとき、第１歯磨き粉を使用するようシステムから第１推奨を受信した）。ユーザは、歯ブラシがユーザの歯又はガムの変化（例えば、ガム感受性、又は歯が所望の白さレベルに達した、等）を検出することに応答して、数週間の使用の後に、歯磨き粉を変更するよう第２推奨を受信して良い。本例では、センサ１４が歯ブラシに含まれ、プロセッサ１８は歯ブラシ又は別の場所に配置されて良い。
【００３７】
幾つかの実施形態では、推奨コンポーネント２６は、パーソナルケア装置との特定の皮膚外用剤の適合レベルについての１又は複数の推奨を提供するよう構成されて良い。ユーザは、特定の皮膚外用剤を識別する情報を（例えば、ユーザインタフェース４２を介して）入力して、彼が該皮膚外用剤をパーソナルケア装置と共に使用すべきか否かを問い合わせて良い。推奨コンポーネント２６は、パーソナルケア装置と共に特定皮膚外用剤を使用した他のユーザのレビュー、ユーザ情報、及び／又は他の要因（例えば、上述の要因）に基づき、推奨を生成して良い。図３は、パーソナルケア装置入力３１０、特定皮膚外用剤３２０、特定皮膚外用剤及びパーソナルケア装置に関するオンラインレビューデータ３３０に基づき上述のように決定された、皮膚外用剤及び装置の適合レベルを示すユーザインタフェース３４０を図示する例示的な図３００である。図３に示すように、パーソナルケア装置及び特定皮膚外用剤を識別する情報が受信される。上述のように、この情報は、例えばユーザ入力から又はセンサの読み取り値から取得されて良い。
【００３８】
抽出コンポーネント２４（上述した）は、パーソナルケア装置及び異なる皮膚外用剤に関するオンラインユーザレビューデータ３３０を抽出するよう構成される。推奨コンポーネント２６（上述した）は、特定皮膚外用剤及びパーソナルケア装置の適合レベルを示す推奨を生成するよう構成される３４０。
【００３９】
図１に戻ると、幾つかの実施形態では、推奨コンポーネント２６は、ユーザの皮膚処理美容目標に基づき推奨を生成するよう構成されて良い。例えば、パーソナルケア装置コンポーネント２０は、ユーザの皮膚処理美容目標に関連する情報を取得するよう構成されて良い。例えば、彼／彼女の皮膚処置美容目標を記述する際にユーザを誘導する質問を通じて、又は選択するために異なる目標をユーザに提示することによる。抽出コンポーネント２４は、同様の皮膚処置美容目標を達成した他のユーザのレビューから情報を抽出するよう構成されて良い。処置目標の例は、滑らかな皮膚、より白い皮膚、より少ない傷、より少ない赤み、より少ない目に見える毛穴、を含んで良い。推奨コンポーネント２６は、皮膚処置美容目標に関する推奨、同様の皮膚処置美容目標を達成した他のユーザのレビュー、他のユーザの成功の度合い、ユーザに関連する情報（皮膚のタイプ、衛生習慣、等）、及び／又は他の要因を生成して良い。
【００４０】
幾つかの実施形態では、推奨コンポーネント２６は、パーソナルケア装置の異なる設定及び／又は添付品との１又は複数の皮膚外用剤の適合レベルを示す推奨を生成するよう構成されて良い。推奨は、１又は複数の皮膚外用剤と共に使用されるべき１又は複数の設定及び／又は１又は複数の添付品を示して良い。例えば、推奨コンポーネント２６は、パーソナルケア装置の強力な設定（例えば剥離）と共に穏やかな皮膚外用剤、又はパーソナルケア装置の穏やかな設定と共により強力な皮膚外用剤、及び／又は装置の設定、装置と共に使用される添付品、及び処置目標に依存する他の組み合わせ、の使用を推奨して良い。
【００４１】
通信コンポーネント２８は、ユーザに推奨を伝えるよう構成される。通信コンポーネント２８は、ユーザインタフェース４２を介して、電子メールを介して、テキストメッセージを介して、ウェブサイトを介して、電話呼を介して、及び又は他の形式の通信により、伝達して良い。例えば、幾つかの実施形態では、通信コンポーネント２８は、ユーザインタフェース４２に、推奨を伝える情報、抽出されたレビュー、及び／又は他の情報を表示させる。幾つかの実施形態では、通信コンポーネント２８は、このような情報を有する電子メール又はテキストをユーザへ送信するよう構成される。
【００４２】
電子記憶装置４０は、情報を電子的に格納する電子記憶媒体を有する。電子記憶装置４０の電子的記憶媒体は、システム１０に統合されて設けられた（つまり、実質的に非取り外し可能な）システム記憶装置、及び／又は例えばポート（例えばＵＳＢポート、ファイアワイアポート、等）若しくはドライブ（例えばディスクドライブ等）を介してシステム１０と取り外し可能に結合できる取り外し可能記憶装置の一方又は両方を有して良い。電子記憶装置４０は、（全体的又は部分的に）システム１０内の別個のコンポーネントであって良い。あるいは、電子記憶装置４０は、（全体的又は部分的に）システム１０の１又は複数の他のコンポーネント（例えば、ユーザインタフェース４２、プロセッサ１８、等）と統合されて設けられて良い。幾つかの実施形態では、電子記憶装置は、サーバ内にプロセッサ１８と一緒に、外部リソース４４の部分であるサーバ内に、ユーザ及び／又は他のユーザに関連付けられたコンピューティング装置内に、及び／又は他の場所に、配置されて良い。電子記憶装置４０は、光学可読記憶媒体（例えば光ディスク等）、磁気可読記憶媒体（例えば、磁気テープ、磁気ハードディスク、フロッピディスク、等）、電子電荷ベースの記憶媒体（例えば、ＥＥＰＲＯＭ、ＲＡＭ、等）、固体記憶媒体（例えば、フラッシュドライブ等）、及び／又は電子的可読記憶媒体のうちの１又は複数を有して良い。電子記憶装置４０は、ソフトウェアアルゴリズム、プロセッサ１８により決定された情報、ユーザインタフェース４２及び／又は外部コンピューティングシステムを介して受信された情報、外部リソース４４から受信された情報、センサ１４から受信された情報、及び／又はシステム１０が本願明細書に記載したように機能できるようにする他の情報を格納して良い。
【００４３】
ユーザインタフェース４２は、情報をシステム１０の１又は複数のユーザから受信し及び／又はそれへ提供するよう構成される。この動作は、パーソナルケア装置１６内、パーソナルコンピューティング装置内、及び／又はシステム１０の内部若しくは外部の他の場所に配置されて良い。ユーザインタフェース４２は、システム１０とユーザとの間のインタフェースを提供するよう構成される。これは、集合的に「情報」と称される、データ、画像、手掛かり、結果及び／又は命令、並びにいかなる他の通信可能な要素が、ユーザ、プロセッサ１８、パーソナルケア装置１６、及び／又はシステム１０の他のコンポーネントの間で通信される「情報」として表されることを可能にする。例えば、推奨、レビュー、グラフ、予測、及び／又は他の情報は、システム１０からユーザインタフェース４２を介してユーザへ伝えられて良い。幾つかの実施形態では、ユーザインタフェース４２は、外用剤、装置添付品、又は他のコンポーネントをユーザが購入するための小売ウェブサイトへの直接リンクを提供して良い。
【００４４】
ユーザインタフェース４２に含まれるのに適切なインタフェース装置の例は、グラフィカルユーザインタフェース、ディスプレイ、タッチスクリーン、キーパッド、ボタン、スイッチ、キーボード、ノブ、レバー、スピーカ、マイクロフォン、指示灯、可聴アラーム、プリンタ、触覚フィードバック装置、光学スキャナ、バーコードリーダ、カメラ、及び／又は他のインタフェース装置を含む。幾つかの実施形態では、ユーザインタフェース４２は、複数の別個のインタフェースを有する。例えば、ユーザインタフェース４２は、異なる介護人に関連する複数のコンピューティング装置に関連付けられた複数の異なるインタフェース、ユーザに関連付けられたコンピューティング装置の部分であるインタフェース、パーソナルケア装置１６、プロセッサ１８、電子記憶装置４０、外部リソース４４、センサ１４及び／又はシステム１０の他のコンポーネントに関連付けられたインタフェース、プロセッサ１８及び／又は電子記憶装置４０を含むサーバに含まれるインタフェース、及び／又は他のインタフェースを有して良い。ユーザインタフェース４２が、ユーザが複数のユーザインタフェースのうちの個々のユーザインタフェースを介して情報をシステム１０に提供し及びそれから受信できるように構成される。幾つかの実施形態では、ユーザインタフェース４２は、プロセッサ１８及び／又はシステム１０の他のコンポーネントと共に統合されて設けられる少なくとも１つのインタフェースを有する。
【００４５】
理解されるべきことに、有線又は無線の他の通信技術も、本開示でユーザインタフェース４２として考えられる。例えば、本開示は、ユーザインタフェース４２が電子記憶装置４０により設けられる取り外し可能記憶装置に統合され得ることも包含する。本例では、情報は、取り外し可能記憶装置（例えば、スマートカード、フラッシュドライブ、取り外し可能ディスク、等）からシステム１０にロードされても良い。これは、ユーザがシステム１０の実装をカスタマイズすることを可能にする。システム１０と共にユーザインタフェース４２として用いられるよう適応される他の例示的な入力装置及び技術は、ＲＳ−２３２ポート、ＲＦリンク、ＩＲリンク、モデム（電話、ケーブル、又は他のもの）を含むがこれらに限定されない。纏めると、システム１０と情報を通信するいかなる技術も、本開示によりユーザインタフェース４２として考えられる。
【００４６】
外部リソース４４は、情報ソース（例えば、データベース、ウェブサイト、等）、システム１０と関係する外部エンティティ（例えば、ヘルスケア提供者の医療記録システム）、外部システムと通信するよう構成される医療機器、システム１０の外部にある１又は複数のサーバ、ネットワーク（例えば、インターネット）、電子記憶装置、Ｗｉ−Ｆｉ技術に関連する機器、Ｂｌｕｅｔｏｏｔｈ（登録商標）技術に関連する機器、データ入力装置、センサ、スキャナ、個々のユーザに関連付けられたコンピューティング装置、及び／又は他のリソースを含んで良い。幾つかの実装では、ここで外部リソース４４に属する機能の一部又は全部は、システム１０に含まれるリソースにより提供されて良い。外部リソース４４は、センサ１４、プロセッサ１８、電子記憶装置４０、ユーザインタフェース４２、及び／又はシステム１０の他のコンポーネントと、有線及び／又は無線接続を介して、ネットワーク（例えば、ローカルエリアネットワーク、及び／又はインターネット）を介して、セルラ技術により、Ｗｉ−Ｆｉ技術により、及び／又は他のリソースにより、通信するよう構成されて良い。
【００４７】
ネットワーク５０は、インターネット及び／又は他のネットワーク、インターネット、ＰＡＮ（Personal  Area  Network）、ＬＡＮ（Local  Area  Network）、ＷＡＮ（Wide  Area  Network）、ＳＡＮ（Storage  Area  Network）、ＭＡＮ（Metropolitan  Area  Network）、近距離通信、周波数（ＲＦ）リンク、Ｂｌｕｅｔｏｏｔｈ（登録商標）、Ｗｉ−Ｆｉ、Ｌｉ−Ｆｉ、セルラ通信ネットワーク、ＰＳＴＮ（Public  Switched  Telephone  Network）及び／又はいかなる種類の有線若しくは無線ネットワークを含み得る。理解されるべきことに、これは、限定であることを意図せず、本開示の範囲はシステム１０のコンポーネントが何からの他の通信媒体を介して動作可能にリンクされる実施形態を含む。幾つかの例では、ネットワークは、ファイアウォールの向こう側の有線Ｅｔｈｅｒｎｅｔネットワークのようなセキュアなローカルエリアネットワークである。
【００４８】
図４は、パーソナルケア装置との１又は複数の皮膚外用剤の適合レベルを示す推奨をユーザに提供する方法４００を示す。システムは、１又は複数のセンサ、１又は複数のユーザインタフェース、電子記憶装置、外部リソース、１又は複数のハードウェアプロセッサ、及び／又は他のコンポーネントを有する。１又は複数のハードウェアプロセッサは、コンピュータプログラムコンポーネントを実行するよう構成される。コンピュータプログラムコンポーネントは、センサ情報コンポーネント、パラメータコンポーネント、予測コンポーネント、通信コンポーネント、及び／又は他のコンポーネントを有する。以下に提示される方法４００の動作は、説明を目的としている。幾つかの実施形態では、方法４００は、記載されない１又は複数の追加動作によって、及び／又は議論される１又は複数の動作を有しないで達成されて良い。さらに、方法４００の動作が図４に示される及び以下に記載される順序は、限定を目的としていない。
【００４９】
幾つかの実施形態では、方法４００は、１又は複数の処理装置（例えば、デジタルプロセッサ、アナログプロセッサ、情報を処理するよう設計されるデジタル回路、情報を処理するよう設計されるアナログ回路、状態機械、及び／又は電子的に情報を処理する他のメカニズム）内に実装されて良い。１又は複数の処理装置は、電子記憶媒体に電子的に格納された命令に応答して、方法４００の動作のうちの一部又は全部を実行する１又は複数の装置を含んで良い。１又は複数の処理装置は、方法４００の動作のうちの１又は複数の実行のために特別に設計されるべきハードウェア、ファームウェア、及び／又はソフトウェアを通じて構成される１又は複数の装置を含んで良い。
【００５０】
動作４０２で、パーソナルケア装置を識別する情報が取得される。幾つかの実施形態では、動作４０２は、（図１に示され且つ本願明細書で上述した）センサ情報コンポーネント２０と類似の又は同一のプロセッサコンポーネントにより実行される。
【００５１】
動作４０４で、パーソナルケア装置に関連付けられた１又は複数のレビューを格納する１又は複数のデータベースがアクセスされる。１又は複数のデータベースはネットワークを介して取得されて良い。レビューは、パーソナルケア装置及び１又は複数の皮膚外用剤によるユーザ経験に関する情報を含んで良い。幾つかの実施形態では、動作２０４は、（図１に示され且つ本願明細書で上述した）パラメータコンポーネント２２と類似の又は同一のプロセッサコンポーネントにより実行される。
【００５２】
動作４０６で、パーソナルケア装置との１又は複数の皮膚外用剤の適合レベルを示す情報が、パーソナルケア装置に関連付けられたレビューから抽出される。幾つかの実施形態では、動作４０６は、（図１に示され且つ本願明細書で上述した）予測コンポーネント２４と類似の又は同一のプロセッサコンポーネントにより実行される。
【００５３】
動作４０８で、パーソナルケア装置との１又は複数の皮膚外用剤の適合レベルを示す１又は複数の推奨が、抽出されたレビューの分析に基づき生成される。幾つかの実施形態では、動作４０８は、（図１に示され且つ本願明細書で上述した）予測コンポーネント２６と類似の又は同一のプロセッサコンポーネントにより実行される。
【００５４】
請求項中、括弧内に記載された如何なる参照符号も、請求項を制限すると見なされるべきではない。用語「有する（comprising又はincluding）」は、請求項中に列挙された以外の要素又はステップの存在を排除するものではない。複数の手段を列挙している装置の請求項では、これらの複数の手段は、１つの同一のハードウェア要素により実装することができる。要素の前にある単数を表す語（「ａ」、「an」）は、このような要素の複数の存在を排除しない。複数の手段を列挙している如何なる装置の請求項でも、これらの複数の手段は、１つの同一のハードウェア要素により実装することができる。特定の要素が相互に異なる従属請求項に記載されるという事実は、これらの要素が組合せて用いることが出来ないことを示すものではない。
【００５５】
以上に適用された説明は、現在最も実用的であると考えられる事項及び好適な実施形態に基づいて、説明を目的として詳細を提供したが、このような詳細は単に説明を目的としていること、本開示は明示的に開示された実施形態に限定されないこと、むしろ添付の請求の範囲の精神及び範囲に含まれる変更及び等価な構成も包含することが理解されるべきである。例えば、本開示は、可能な範囲で、任意の実施形態の１又は複数の特徴が任意の他の実施形態の１又は複数の特徴と結合できることを想定していることが理解されるべきである。
【図１】
2019504408.tif 000003
【図２】
2019504408.tif 000004
【図３】
2019504408.tif 000005
【図４】
2019504408.tif 000006
【手続補正書】
【提出日】平成30年6月29日(2018.6.29)
【手続補正１】
【補正対象書類名】特許請求の範囲
【補正対象項目名】全文
【補正方法】変更
【補正の内容】
【特許請求の範囲】
【請求項１】
パーソナルケア装置との１又は複数の皮膚外用剤の適合レベルを示す推奨をユーザに提供するよう構成されるシステムであって、前記システムは、
１又は複数のハードウェアプロセッサであって、機械可読命令により、
前記パーソナルケア装置を識別する情報を取得し、
ネットワークを介して、前記パーソナルケア装置に関連する１又は複数のレビューを格納する１又は複数のデータベースにアクセスし、前記レビューは前記パーソナルケア装置及び前記１又は複数の皮膚外用剤によるユーザ経験に関する情報を含み、
前記パーソナルケア装置に関連する前記レビューから、前記パーソナルケア装置との前記１又は複数の皮膚外用剤の前記適合レベルを示す情報を抽出し、
前記抽出したレビューの分析に基づき、前記パーソナルケア装置との前記１又は複数の皮膚外用剤の前記適合レベルを示す１又は複数の推奨を生成する、
よう構成される１又は複数のハードウェアプロセッサ、を有するシステム。
【請求項２】
前記１又は複数のハードウェアプロセッサは、前記パーソナルケア装置及び／又はコンピューティング装置上での前記抽出したレビュー及び／又は前記１又は複数の推奨の表示を生じさせるよう更に構成される、請求項１に記載のシステム。
【請求項３】
前記１又は複数のハードウェアプロセッサは、特定皮膚外用剤を識別する情報を取得し、及び前記パーソナルケア装置との前記特定皮膚外用剤の前記適合レベルについての１又は複数の推奨を提供するよう更に構成される、請求項１に記載のシステム。
【請求項４】
前記１又は複数のハードウェアプロセッサは、ユーザ皮膚処置美容目標に関連する情報を取得するよう更に構成され、前記１又は複数の推奨は、前記ユーザ皮膚処置美容目標に更に基づく、請求項１に記載のシステム。
【請求項５】
前記１又は複数のハードウェアプロセッサは、前記パーソナルケア装置の使用前に使用されるとき、前記パーソナルケア装置と同時に使用されるとき、及び／又は前記パーソナルケア装置の使用後に使用されるときの、前記１又は複数の皮膚外用剤の前記適合レベルを示す推奨を生成するよう更に構成される、請求項１に記載のシステム。
【請求項６】
前記１又は複数のハードウェアプロセッサは、前記パーソナルケア装置の設定、及び／又は前記パーソナルケア装置と共に使用される付属品に基づき、前記パーソナルケア装置との前記１又は複数の皮膚外用剤の前記適合レベルを示す推奨を生成するよう更に構成される、請求項１に記載のシステム。
【請求項７】
推奨システムにより、パーソナルケア装置との１又は複数の皮膚外用剤の適合レベルを示す推奨をユーザに提供するよう方法であって、前記システムは１又は複数のハードウェアプロセッサを有し、前記方法は、
前記１又は複数のハードウェアプロセッサにより、前記パーソナルケア装置を識別する情報を取得するステップと、
前記１又は複数のハードウェアプロセッサにより、ネットワークを介して、前記パーソナルケア装置に関連する１又は複数のレビューを格納する１又は複数のデータベースにアクセスするステップであって、前記レビューは前記パーソナルケア装置及び前記１又は複数の皮膚外用剤によるユーザ経験に関する情報を含む、ステップと、
前記１又は複数のハードウェアプロセッサにより、前記パーソナルケア装置に関連する前記レビューから、前記パーソナルケア装置との前記１又は複数の皮膚外用剤の前記適合レベルを示す情報を抽出するステップと、
前記１又は複数のハードウェアプロセッサにより、前記抽出したレビューの分析に基づき、前記パーソナルケア装置との前記１又は複数の皮膚外用剤の前記適合レベルを示す１又は複数の推奨を生成するステップと、
を有する方法。
【請求項８】
前記１又は複数のハードウェアプロセッサにより、前記パーソナルケア装置及び／又はコンピューティング装置上での前記抽出したレビュー及び／又は前記１又は複数の推奨の表示を生じさせるステップ、を更に有する請求項７に記載の方法。
【請求項９】
前記１又は複数のハードウェアプロセッサにより、特定皮膚外用剤を識別する情報を取得し、及び前記パーソナルケア装置との前記特定皮膚外用剤の前記適合レベルについての１又は複数の推奨を提供するステップ、を更に有する請求項７に記載の方法。
【請求項１０】
前記１又は複数のハードウェアプロセッサにより、ユーザ皮膚処置美容目標に関連する情報を取得するステップであって、前記１又は複数の推奨は、前記ユーザ皮膚処置美容目標に更に基づく、ステップ、を更に有する請求項７に記載の方法。
【請求項１１】
前記パーソナルケア装置との前記１又は複数の皮膚外用剤の前記適合レベルを示す前記１又は複数の推奨を生成するステップは、前記パーソナルケア装置の使用前に使用されるとき、前記パーソナルケア装置と同時に使用されるとき、及び／又は前記パーソナルケア装置の使用後に使用されるときの、前記１又は複数の皮膚外用剤の前記適合レベルを示す推奨を含む、請求項７に記載の方法。
【請求項１２】
前記パーソナルケア装置との前記１又は複数の皮膚外用剤の前記適合レベルを示す推奨を生成するステップは、前記パーソナルケア装置の設定、及び／又は前記パーソナルケア装置と共に使用される付属品に基づく、請求項７に記載の方法。
【請求項１３】
パーソナルケア装置との１又は複数の皮膚外用剤の適合レベルを示す推奨をユーザに提供するよう構成されるシステムであって、前記システムは、
前記パーソナルケア装置を識別する情報を取得する手段と、
ネットワークを介して、前記パーソナルケア装置に関連する１又は複数のレビューを格納する１又は複数のデータベースにアクセスする手段であって、前記レビューは前記パーソナルケア装置及び前記１又は複数の皮膚外用剤によるユーザ経験に関する情報を含む、手段と、
前記パーソナルケア装置に関連する前記レビューから、前記パーソナルケア装置との前記１又は複数の皮膚外用剤の前記適合レベルを示す情報を抽出する手段と、
前記抽出したレビューの分析に基づき、前記パーソナルケア装置との前記１又は複数の皮膚外用剤の前記適合レベルを示す１又は複数の推奨を生成する手段と、
を有するシステム。
【請求項１４】
前記パーソナルケア装置及び／又はコンピューティング装置上での前記抽出したレビュー及び／又は前記１又は複数の推奨の表示を生じさせる手段、を更に有する請求項１３に記載のシステム。
【請求項１５】
特定皮膚外用剤を識別する情報を取得し、及び前記パーソナルケア装置との前記特定皮膚外用剤の前記適合レベルについての１又は複数の推奨を提供する手段、を更に有する請求項１３に記載のシステム。
【国際調査報告】
2019504408.tif 000007
2019504408.tif 000008
2019504408.tif 000009